(57)【要約】【課題】任意のページの試し刷りを行なった用紙そのものを、該当ページに差し込むことを可能にする画像形成装置を提供する。【解決手段】試し刷り選択部３と、原稿読み込み部５と、読み込んだ原稿の試し刷りを行わせるページを指定する試し刷りページ指定部７と、試し刷りの指定がなされたページの試し刷りを行わせる試し刷り部９と、試し刷りにより印刷出力された試し刷りページをセットする用紙セット部１１と、読み込んだ原稿の印刷を指示する印刷指示部１３と、印刷の指示により前記読み込んだ原稿の印刷を行う印刷部１５と、読み込んだ原稿の画像データ及び全体のページ情報と試し刷りを行わせるページを指定した情報と試し刷りページを用紙セット部１１にセットした検知情報とから印刷指示部１３での印刷の指示に基づき、印刷部１５が試し刷りページを該当ページに差し込みながら印刷を行わせることを特徴とする。【選択図】図１
2016225785.tif 000002
【特許請求の範囲】
【請求項１】
試し刷りをするか否かの選択を行わせる試し刷り選択部と、
試し刷りの選択に基づき原稿を読み込む原稿読み込み部と、
読み込んだ原稿の試し刷りを行わせるページを指定する試し刷りページ指定部と、
試し刷りの指定がなされたページの試し刷りを行わせる試し刷り部と、
試し刷りにより印刷出力された試し刷りページをセットする用紙セット部と、
前記読み込んだ原稿の印刷を指示する印刷指示部と、
前記印刷の指示により前記読み込んだ原稿の印刷を行う印刷部と、
前記読み込んだ原稿の情報と前記試し刷りを行わせるページを指定した情報と前記試し刷りページをセットした情報とから前記印刷指示部の指示に基づき前記印刷部を制御し前記セット部の試し刷りページを該当ページに差し込みながら印刷を行わせる印刷制御部と、
を備えたことを特徴とする画像形成装置。
【請求項２】
請求項1記載の画像形成装置であって、
前記セット部は、給紙トレイである、
ことを特徴とする画像形成装置。
【発明の詳細な説明】
【技術分野】
【０００１】
本発明は、用紙に画像を形成する複写機、プリンター、ファクシミリ又は複合機等の画像形成装置に係り、特に、差込印刷を行う画像形成装置に関する。
【背景技術】
【０００２】
従来、特許文献１、２に記載のような文書管理装置がある。
【０００３】
特許文献１の画像形成装置は、差込データを個々に指定することなく差込印刷することを可能にするものである。
【０００４】
この画像形成装置では、ひな型の上から２行目を差込位置と指定し、第１の原稿セットの第１頁の１行目を差込データ位置と指定することにより、ひな型上の該差込位置に、この差込データが記入されて、第１の原稿セットに対する表紙が作成される。第１の原稿セットの枚数を指定することにより、第２の原稿セットの第１頁が検出され、その１行目が差込データ位置とみなされ、ひな型上の該差込位置に、この差込データが記入されて、第２の原稿セットに対する表紙が作成されるものである。
【０００５】
従って、画像データから差込データが自動抽出されるので、差込印刷前にデータベースを作成する必要がないと言うメリットがある。
【０００６】
しかし、かかる画像形成装置は、表紙を差し込むことはできても、表紙以外の部分に要旨を差し込むことはできなかった。
【０００７】
特許文献2の画像形成装置は、ユーザーが試し刷りを行え、試し刷りした印刷画像に不満がある場合に、普通紙に代表される画像形成媒体上の画像を消去して画像形成媒体を再利用することを可能にするものである。
【０００８】
この画像形成装置では、転写ドラム及び転写ローラと定着ユニットの間で、通常出力用搬送路に未定着出力用搬送路を連結し、切り替え可能としている。未定着画像消去用に、消去ドラム、消去ローラ、クリーニングブラシ、トナー帯電装置等を備えている。出力画像がユーザーの要求を満たしていない場合には、画像形成媒体上の未定着のトナーをトナー帯電装置により帯電させ、消去ドラムと消去ローラとの間に通してこれらの間に電位差を生じさせ、これを利用してトナーを消去ドラムに移動させクリーニングブラシで取り除くものである。
【０００９】
従って、電子写真方式を用いた画像形成装置にトナー像を定着させるか否かを選択させ得る機能を持たせ、さらに未定着出力の場合には画像消去機能を持たせ得ることにより、従来の画像形成装置では不可能であった画像形成媒体の再利用を可能とし、試し刷りした印刷画像に不満がある場合に、省資源、地球環境保護に貢献することができるという効果がある。
【００１０】
しかし、試し刷りを行なった用紙そのものの利用ができなかった。
【先行技術文献】
【特許文献】
【００１１】
【特許文献１】特開２００７−２０８７８０号公報
【特許文献２】特開２０００−１１２３０８号公報
【発明の概要】
【発明が解決しようとする課題】
【００１２】
本発明が解決しようとする問題点は、任意のページの試し刷りを行なった用紙そのものを、該当ページに差し込むことができなかった点である。
【課題を解決するための手段】
【００１３】
本発明は、任意のページの試し刷りを行なった用紙そのものを、該当ページに差し込むことを可能にするため、試し刷りをするか否かの選択を行わせる試し刷り選択部と、試し刷りの選択に基づき原稿を読み込む原稿読み込み部と、読み込んだ原稿の試し刷りを行わせるページを指定する試し刷りページ指定部と、試し刷りの指定がなされたページの試し刷りを行わせる試し刷り部と、試し刷りにより印刷出力された試し刷りページをセットする用紙セット部と、前記読み込んだ原稿の印刷を指示する印刷指示部と、前記印刷の指示により前記読み込んだ原稿の印刷を行う印刷部と、前記読み込んだ原稿の情報と前記試し刷りを行わせるページを指定した情報と前記試し刷りページをセットした情報とから前記印刷指示部の指示に基づき前記印刷部を制御し前記セット部の試し刷りページを該当ページに差し込みながら印刷を行わせる印刷制御部とを備えたことを特徴とする。
【発明の効果】
【００１４】
本発明によれば、任意のページの試し刷りを行なった用紙そのものを、該当ページに差し込むことができる。
【図面の簡単な説明】
【００１５】
【図１】画像形成装置の機能ブロック図である。（実施例１）
【図２】画像形成装置の構成図である。（実施例１）
【図３】差し込み印刷処理のフローチャートである。（実施例１）
【発明を実施するための形態】
【００１６】
任意のページの試し刷りを行なった用紙そのものを、該当ページに差し込むことを可能にするため、読み込んだ原稿の情報と前記試し刷りを行わせるページを指定した情報と試し刷りページをセットした情報とから印刷指示部の指示に基づき印刷部を制御しセット部の試し刷りページを該当ページに差し込みながら印刷を行わせる印刷制御部を備えたことにより実現した。
【実施例】
【００１７】
［画像形成装置］
図１は、画像形成装置の機能ブロック図、図２は、画像形成装置の構成図である。
【００１８】
図１のように、画像形成装置１は、試し刷り選択部３と原稿読み込み部５と試し刷りページ指定部７と試し刷り部９と用紙セット部１１と印刷指示部１３と印刷部１５と印刷制御部１７とを備えている。
【００１９】
試し刷り選択部３は、試し刷りをするか否かの選択を行わせるものであり、例えば、後述の複合機のタッチパネル式の操作パネルにより、該当箇所をタッチ操作して選択を入力する。
【００２０】
原稿読み込み部５は、試し刷りの選択に基づき原稿を読み込むものであり、例えば、後述の複合機のスキャナーが構成する。
【００２１】
試し刷りページ指定部７は、読み込んだ原稿の試し刷りを行わせるページを指定するものであり、例えば、後述の複合機の操作パネルのタッチ操作により、ページを指定する。このページの指定は、任意のページの指定を可能としている。
【００２２】
試し刷り部９は、試し刷りの指定がなされたページの試し刷りを行わせるものであり、例えば、後述の複合機のプリンターが構成する。
【００２３】
用紙セット部１１は、試し刷りにより印刷出力された試し刷りページを該当ページに差し込みのためにセットするものであり、例えば、後述の複合機の給紙トレイが構成する。
【００２４】
印刷指示部１３は、前記読み込んだ原稿の例えば全ページの印刷を指示するものであり、例えば、後述の複合機の操作パネルのタッチ操作により、全ページの印刷指示を行なう。なお、印刷支持部１３は、読み込んだ原稿の必要ページの印刷を指示させることもできる。
【００２５】
印刷部１５は、前記印刷の指示により前記読み込んだ原稿の印刷を行うものであり、本実施例では、試し刷り部９と同様に、例えば、後述の複合機のプリンターが構成する。
【００２６】
印刷制御部１７は、前記読み込んだ原稿の情報と前記試し刷りを行わせるページを指定した情報と前記試し刷りページをセットした情報とから前記印刷指示部１３の指示に基づき前記印刷部１５を制御し前記セット部の試し刷りページを該当ページに差し込みながら印刷を行わせるものであり、例えば、後述の複合機の制御部が構成する。
【００２７】
図２のように、画像形成装置１は、例えば複合機で構成され、プロセッサーにメモリーが結合された構成を含む制御部１９を備え、このプロセッサーにはさらに、インターフェースを介しオートシートフィーダー２１、スキャナー２３、メモリー２５、プリンター２７、ハードディスクドライブ２９、操作パネル３１、送受信部３３、給紙トレイ３５ａ、３５ｂ、３５ｃを備えている。
【００２８】
制御部１９は、各部、各処理を制御すると共に、前記印刷制御部１７として機能する。
【００２９】
オートシートフィーダー２１は、原稿を読み取るために原稿送りをするものであり、オートシートフィーダー２１により送られた原稿の画像は、原稿読み込み部５として機能するスキャナー２３により読み取られて、メモリー２５に格納され、処理される。
【００３０】
プリンター２７は、給紙部、画像形成部、定着器及び用紙搬送部を備え、印刷部１５として機能し、前記試し刷り部９としても機能する。画像形成部は、制御部１９で処理された画像データに基づいて、感光ドラム上にトナー像を形成し、給紙部、例えば給紙トレイ３５ａ、３５ｂ、３５ｃの何れかから給紙された用紙にトナー像を転写させる。定着器は、このトナー像を用紙に定着させる。用紙搬送部は、用紙を給紙トレイ３５ａ、３５ｂ、３５ｃから画像形成部へ搬送し、次いで定着器へ搬送し、さらに排紙させる。
【００３１】
給紙トレイ３５ａは、用紙セット部としても機能し、試し刷りにより印刷出力された試し刷りページを差し込みのためにセットする。試し刷りのモードが選択されているときに用紙のセットが行われると、この用紙のセットが検知され、検知信号が制御部１９に入力される。
【００３２】
ハードディスクドライブ２９のハードディスクには、ＯＳ、アプリケーションプログラム及びデータが格納されている。
【００３３】
操作パネル３１は、例えばタッチパネルであり、ユーザーに対し各種設定を行わせるとともに情報を表示するためのものである。操作パネル３１は、前記試し刷り選択部３、試し刷り指定部７、印刷指示部１３としても機能する。
【００３４】
送受信部３３は、プリントジョブを行うためにネットワークインターフェースを介して外部のコンピュータにＬＡＮで結合され、画像情報等の送受信を行わせる。
【００３５】
［差し込み印刷処理］
図３は、差し込み印刷処理のフローチャートである。
【００３６】
ステップＳ１（以下、ステップＳを「Ｓ」と略称する。）では、「試し刷りか？」の判断により、操作パネル３１において試し刷りキーがタッチされていればＳ２に移行し、タッチされていなければ、処理は終了し、通常印刷状態が保持される。
【００３７】
Ｓ２では、「原稿の読み込み」により、オートシートフィーダー２１及びスキャナー２３を駆動して、オートシートフィーダー２１により順次送られる原稿の画像をスキャナー２３により読み込み、その画像データを全体のページ情報と共にメモリー２５に格納し、Ｓ３に移行する。画像データ及び全体のページ情報は、後述の差し込み印刷及び差し込み印刷用の画像形成に使用される。
【００３８】
Ｓ３では、「ページ選択有？」の判断により、試し刷りページの指定が行われていれば（ＹＥＳ）、Ｓ４に移行し、ページの指定が行われなかった場合には（ＮＯ）、設定時間後に処理は終了し、通常印刷に戻る。
【００３９】
試し刷りページの指定は、原稿の読取後に操作パネル３１に表示される画面において行われる。操作パネル３１には、試し刷りページの指定を行わせる画面が表示され、この画面上でユーザーが試し刷りページを指定することになる。指定されたページは、試し刷りを行わせるページを指定した情報としてメモリー２５に記憶され、後述の差し込み印刷のために使用される。
【００４０】
Ｓ４では、「試し刷りページ印刷」により、プリンター２７が試し刷り部９として機能し、スタートボタンを操作すると、制御部９の指示により、指定された試し刷りページのみの画像が画像形成部で形成され、給紙トレイ３５ａ、３５ｂ、３５ｃの何れかからの給紙により印刷出力が行われ、Ｓ５に移行する。
【００４１】
ユーザーは、出力された試し刷りページを見て満足するものであれば、差し込み印刷用の給紙トレイ３５ａにセットする。試し刷りページを見て満足するか否かは、原稿の微細な画像が、ユーザーの希望通りの印刷結果になっているか否か、或いは、ユーザーによる濃度設定等の印刷設定が希望通りの印刷結果になっているか否か等による。差し込み印刷用の給紙トレイは、例えば操作パネル３１において任意に設定可能であり、設定情報は、メモリー２５に記憶され、後述の差し込み印刷に使用される。差し込み印刷用の給紙トレイを給紙トレイ３５ａ、３５ｂ、３５ｃの何れかに固定することもできる。
【００４２】
Ｓ５では、「トレイにセットか？」の判断により、試し刷りページが差し込み印刷用の給紙トレイ３５ａにセットされれば（ＹＥＳ）、Ｓ６に移行し、セットされなければ（ＮＯ）、Ｓ７に移行する。
【００４３】
試し刷りページが差し込み印刷用の給紙トレイ３５ａにセットされたことは、試し刷りの設定が行われているときに給紙トレイ３５ａに用紙がセットされたことをセンサが検知することに基づく。この検知信号は、制御部１９に入力され、差し込み印刷に使用される。差し込み印刷用の給紙トレイが任意に設定可能であることを考慮し、用紙がセットされたことを検知するセンサは、給紙トレイ３５ａ、３５ｂ、３５ｃ毎に備えられている。
【００４４】
Ｓ６では、「全体印刷指示有？」の判断により、試し刷りページの給紙トレイ３５ａへのセット後にユーザーが操作パネル３１において原稿の全体印刷を指示すると（ＹＥＳ）、Ｓ８に移行し、指示がなければ（ＮＯ）、設定時間後に処理は終了し、通常印刷に戻る。
【００４５】
Ｓ７では、「印刷再設定有？」の判断により、ユーザーが試し刷りページの確認後に印刷の濃度等の再設定を行えば（ＹＥＳ）、Ｓ３に戻り、再設定が行われなければ（ＮＯ）、設定時間後に処理は終了する。Ｓ３に戻ったときは、再度「ページ選択有？」の判断後にＳ４に移行し、再度指定された試し刷りページのみが印刷出力される。
【００４６】
Ｓ８では、「全体印刷及びページ差し込み」により、プリンター２７の画像形成部が制御部９の指示により、メモリー２５に記憶されている試し刷りページのページ情報と読み込まれた原稿の画像データ及び全体のページ情報とから全体印刷のための画像形成を行う。この画像形成では、試し刷りページに該当するページを除いて画像が形成される。形成された画像に基づき、制御部１９が、プリンター２７を制御し給紙トレイ３５ａにセットされている試し刷りページを該当ページに差し込みながら印刷を行わせ、Ｓ９に移行する。つまり、制御部１９は、プリンター２７を制御して、形成された画像のページと試し刷りページが連続するように、試し刷りページを差し込みながら印刷を行わせる。
【００４７】
印刷に際して、試し刷りページ以外の給紙は、給紙トレイ３５ｂ、３５ｃの何れかから行われるように制御部１９がプリンター２７の用紙搬送部を制御し、試し刷りページに該当するページになると給紙トレイ３５ａから試し刷りページを搬送する。試し刷りページの差し込みが行われると、印刷が全ページの途中でもＳ９に移行する。
【００４８】
Ｓ９では、「全差し込みページ終了？」の判断により、試し刷りページの差し込みが全て終了すれば（ＹＥＳ）、処理は終了し、試し刷りページが残っていれば（ＮＯ）、Ｓ８に戻る。
【００４９】
Ｓ８では、差し込み印刷が継続され、次の試し刷りページに該当するページになったとき給紙トレイ３５ａから次の試し刷りページが搬送され、試し刷りページを該当ページに差し込みながら印刷が継続される。
【００５０】
試し刷りページが最終ページでなく、試し刷りページの差し込みが全て終了し、Ｓ９を経て処理が終了した時は、通常印刷への移行により残りのページが全て印刷出力される。
【００５１】
試し刷りページが最終ページであり、Ｓ９を経て処理が終了した時は、プリンター２７の印刷動作は終了する。
なお、試し刷りページの差し込みを、任意のページに１枚のみ差し込む形態にすることもできる。
【００５２】
［実施例の効果］
本発明実施例は、読み込んだ原稿の画像データ及び全体のページ情報と試し刷りを行わせるページを指定した情報と試し刷りページを給紙トレイ３５ａにセットした検知情報とから操作パネル３１での全体印刷の指示に基づき、プリンター２７が給紙トレイ３５ａの試し刷りページを該当ページに差し込みながら全体印刷を行わせることができる。
【００５３】
このため、試し刷りページを無駄にすることなく、任意のページの試し刷りを行なった用紙そのものを、該当ページに差し込むことができる。
【００５４】
［その他］
本実施例は、コピーに適用した場合を説明したが、本発明は、プリントジョブにも適用可能である。
【符号の説明】
【００５５】
１  画像形成装置
３  試し刷り部
５  原稿読み込み部
７  試し刷りページ指定部
９  試し刷り部
１１  用紙セット部
１３  印刷指示部
１５  印刷部
１７  印刷制御部
【図１】
2016225785.tif 000003
【図２】
2016225785.tif 000004
【図３】
2016225785.tif 000005